(57)【要約】【課題】匿名化権限を分散化することにより、個人を特定される可能性を低減することができる匿名化権限分散化システム等を提供することを課題とする。【解決手段】本発明にかかるシステム等は、匿名化権限分散化装置１００は、病院システム２００にて匿名化された患者の患者識別情報に対応する生体サンプルに対応付けられた表現型情報を取得し、取得された表現型情報を匿名化し、取得された生体サンプルに基づいてタイピングシステム４００にてタイピングされた遺伝子多型情報を取得し、取得された遺伝子多型情報を匿名化し、匿名化された表現型情報と匿名化された遺伝子多型情報とを対応付け、研究機関システム５００は、匿名化権限分散化装置１００にて対応付けられた匿名化された表現型情報および匿名化された遺伝子多型情報を取得し、取得された匿名化された表現型情報および匿名化された遺伝子多型情報に基づいて、突き合わせ解析を行う。【選択図】      図１
2004287847.tif 000002
【特許請求の範囲】
【請求項１】
各病院が管理する病院システムと、匿名化権限分散化装置と、生体サンプルをタイピングして遺伝子多型情報を作成するタイピングシステムと、知識データベースを作成する研究機関システムとをネットワークを介して通信可能に接続した匿名化権限分散化システムであって、
上記匿名化権限分散化装置は、
上記病院システムにて匿名化された患者の患者識別情報に対応する上記生体サンプルに対応付けられた表現型情報を取得する取得手段と、
上記取得手段により取得された上記表現型情報を匿名化する表現型情報匿名化手段と、
上記取得手段により取得された上記生体サンプルに基づいて上記タイピングシステムにてタイピングされた上記遺伝子多型情報を取得する遺伝子多型情報取得手段と、
上記遺伝子多型情報取得手段により取得された上記遺伝子多型情報を匿名化する遺伝子多型情報匿名化手段と、
を備えたことを特徴とする匿名化権限分散化システム。
【請求項２】
上記匿名化権限分散化装置は、
上記表現型情報匿名化手段および上記遺伝子多型情報匿名化手段において、同一の匿名化の手法を用いて上記表現型情報および上記遺伝子多型情報を匿名化すること、
を特徴とする請求項１に記載の匿名化権限分散化システム。
【請求項３】
上記匿名化権限分散化装置は、
同一人から取得された、上記表現型情報匿名化手段により匿名化された上記表現型情報と、上記遺伝子多型情報匿名化手段により匿名化された上記遺伝子多型情報とを対応付ける対応付け手段、
をさらに備えたことを特徴とする請求項１または２に記載の匿名化権限分散化システム。
【請求項４】
上記研究機関システムは、
上記匿名化権限分散化装置にて対応付けられた上記匿名化された上記表現型情報および上記匿名化された上記遺伝子多型情報を取得する匿名化表現型情報対応匿名化遺伝子多型情報取得手段と、
上記匿名化表現型情報対応匿名化遺伝子多型情報取得手段により取得された上記匿名化された上記表現型情報および上記匿名化された上記遺伝子多型情報に基づいて、突き合わせ解析を行う突き合わせ解析手段と、
をさらに備えたことを特徴とする請求項１から３のいずれか一つに記載の匿名化権限分散化システム。
【請求項５】
上記遺伝子多型情報は、
ＳＮＰ情報、マイクロサテライト情報、ハプロタイプ情報のうち少なくとも一つであること、
を特徴とする請求項１から４のいずれか一つに記載の匿名化権限分散化システム。
【請求項６】
上記生体サンプルは、
血液サンプルであること、
を特徴とする請求項１から５のいずれか一つに記載の匿名化権限分散化システム。
【請求項７】
各病院が管理する病院システムと、匿名化権限分散化装置と、生体サンプルをタイピングして遺伝子多型情報を作成するタイピングシステムと、知識データベースを作成する研究機関システムとをネットワークを介して通信可能に接続した匿名化権限分散化システムを用いて実行される匿名化権限分散方法であって、
上記匿名化権限分散化装置において、上記病院システムにて匿名化された患者の患者識別情報に対応する上記生体サンプルに対応付けられた表現型情報を取得する取得ステップと、
上記匿名化権限分散化装置において、上記取得ステップにより取得された上記表現型情報を匿名化する表現型情報匿名化ステップと、
上記匿名化権限分散化装置において、上記取得ステップにより取得された上記生体サンプルに基づいて上記タイピングシステムにてタイピングされた上記遺伝子多型情報を取得する遺伝子多型情報取得ステップと、
上記匿名化権限分散化装置において、上記遺伝子多型情報取得ステップにより取得された上記遺伝子多型情報を匿名化する遺伝子多型情報匿名化ステップと、
を含むことを特徴とする匿名化権限分散方法。
【請求項８】
上記匿名化権限分散化装置において、上記表現型情報匿名化ステップおよび上記遺伝子多型情報匿名化ステップにおいて、同一の匿名化の手法を用いて上記表現型情報および上記遺伝子多型情報を匿名化すること、
を特徴とする請求項７に記載の匿名化権限分散方法。
【請求項９】
上記匿名化権限分散化装置において、同一人から取得された、上記表現型情報匿名化ステップにより匿名化された上記表現型情報と、上記遺伝子多型情報匿名化ステップにより匿名化された上記遺伝子多型情報とを対応付ける対応付けステップ、
をさらに含むことを特徴とする請求項７または８に記載の匿名化権限分散方法。
【請求項１０】
上記研究機関システムにおいて、上記匿名化権限分散化装置にて対応付けられた上記匿名化された上記表現型情報および上記匿名化された上記遺伝子多型情報を取得する匿名化表現型情報対応匿名化遺伝子多型情報取得ステップと、
上記研究機関システムにおいて、上記匿名化表現型情報対応匿名化遺伝子多型情報取得ステップにより取得された上記匿名化された上記表現型情報および上記匿名化された上記遺伝子多型情報に基づいて、突き合わせ解析を行う突き合わせ解析ステップと、
をさらに含むことを特徴とする請求項７から９のいずれか一つに記載の匿名化権限分散方法。
【請求項１１】
上記遺伝子多型情報は、
ＳＮＰ情報、マイクロサテライト情報、ハプロタイプ情報のうち少なくとも一つであること、
を特徴とする請求項７から１０のいずれか一つに記載の匿名化権限分散方法。
【請求項１２】
上記生体サンプルは、
血液サンプルであること、
を特徴とする請求項７から１１のいずれか一つに記載の匿名化権限分散方法。
【請求項１３】
予め匿名化された患者の患者識別情報に対応する生体サンプルに対応付けられた表現型情報を取得する取得手段と、
上記取得手段により取得された上記表現型情報を匿名化する表現型情報匿名化手段と、
上記取得手段により取得された上記生体サンプルに基づいてタイピングされた遺伝子多型情報を取得する遺伝子多型情報取得手段と、
上記遺伝子多型情報取得手段により取得された上記遺伝子多型情報を匿名化する遺伝子多型情報匿名化手段と、
を備えたことを特徴とする匿名化権限分散化装置。
【請求項１４】
上記表現型情報匿名化手段および上記遺伝子多型情報匿名化手段において、同一の匿名化の手法を用いて上記表現型情報および上記遺伝子多型情報を匿名化すること、
を特徴とする請求項１３に記載の匿名化権限分散化装置。
【請求項１５】
同一人から取得された、上記表現型情報匿名化手段により匿名化された上記表現型情報と、上記遺伝子多型情報匿名化手段により匿名化された上記遺伝子多型情報とを対応付ける対応付け手段、
をさらに備えたことを特徴とする請求項１３または１４に記載の匿名化権限分散化装置。
【請求項１６】
対応付けられた上記匿名化された上記表現型情報および上記匿名化された上記遺伝子多型情報を送信する匿名化表現型情報対応匿名化遺伝子多型情報送信手段、
をさらに備えたことを特徴とする請求項１３から１５のいずれか一つに記載の匿名化権限分散化装置。
【請求項１７】
上記遺伝子多型情報は、
ＳＮＰ情報、マイクロサテライト情報、ハプロタイプ情報のうち少なくとも一つであること、
を特徴とする請求項１３から１６のいずれか一つに記載の匿名化権限分散化装置。
【請求項１８】
上記生体サンプルは、
血液サンプルであること、
を特徴とする請求項１３から１７のいずれか一つに記載の匿名化権限分散化装置。
【請求項１９】
予め匿名化された患者の患者識別情報に対応する生体サンプルに対応付けられた表現型情報を取得する取得ステップと、
上記取得ステップにより取得された上記表現型情報を匿名化する表現型情報匿名化ステップと、
上記取得ステップにより取得された上記生体サンプルに基づいてタイピングされた遺伝子多型情報を取得する遺伝子多型情報取得ステップと、
上記遺伝子多型情報取得ステップにより取得された上記遺伝子多型情報を匿名化する遺伝子多型情報匿名化ステップと、
を含むことを特徴とする匿名化権限分散化方法。
【請求項２０】
上記表現型情報匿名化ステップおよび上記遺伝子多型情報匿名化ステップにおいて、同一の匿名化の手法を用いて上記表現型情報および上記遺伝子多型情報を匿名化すること、
を特徴とする請求項１９に記載の匿名化権限分散化方法。
【請求項２１】
同一人から取得された、上記表現型情報匿名化ステップにより匿名化された上記表現型情報と、上記遺伝子多型情報匿名化ステップにより匿名化された上記遺伝子多型情報とを対応付ける対応付けステップ、
をさらに含むことを特徴とする請求項１９または２０に記載の匿名化権限分散化方法。
【請求項２２】
対応付けられた上記匿名化された上記表現型情報および上記匿名化された上記遺伝子多型情報を送信する匿名化表現型情報対応匿名化遺伝子多型情報送信ステップ、
をさらに含むことを特徴とする請求項１９から２１のいずれか一つに記載の匿名化権限分散化方法。
【請求項２３】
上記遺伝子多型情報は、
ＳＮＰ情報、マイクロサテライト情報、ハプロタイプ情報のうち少なくとも一つであること、
を特徴とする請求項１９から２２のいずれか一つに記載の匿名化権限分散化方法。
【請求項２４】
上記生体サンプルは、
血液サンプルであること、
を特徴とする請求項１９から２３のいずれか一つに記載の匿名化権限分散化方法。
【請求項２５】
予め匿名化された患者の患者識別情報に対応する生体サンプルに対応付けられた表現型情報を取得する取得ステップと、
上記取得ステップにより取得された上記表現型情報を匿名化する表現型情報匿名化ステップと、
上記取得ステップにより取得された上記生体サンプルに基づいてタイピングされた遺伝子多型情報を取得する遺伝子多型情報取得ステップと、
上記遺伝子多型情報取得ステップにより取得された上記遺伝子多型情報を匿名化する遺伝子多型情報匿名化ステップと、
を含む匿名化権限分散化方法をコンピュータに実行させることを特徴とするプログラム。
【請求項２６】
上記表現型情報匿名化ステップおよび上記遺伝子多型情報匿名化ステップにおいて、同一の匿名化の手法を用いて上記表現型情報および上記遺伝子多型情報を匿名化すること、
を特徴とする請求項２５に記載のプログラム。
【請求項２７】
同一人から取得された、上記表現型情報匿名化ステップにより匿名化された上記表現型情報と、上記遺伝子多型情報匿名化ステップにより匿名化された上記遺伝子多型情報とを対応付ける対応付けステップ、
をさらに含むことを特徴とする請求項２５または２６に記載のプログラム。
【請求項２８】
対応付けられた上記匿名化された上記表現型情報および上記匿名化された上記遺伝子多型情報を送信する匿名化表現型情報対応匿名化遺伝子多型情報送信ステップ、
をさらに含むことを特徴とする請求項２５から２７のいずれか一つに記載のプログラム。
【請求項２９】
上記遺伝子多型情報は、
ＳＮＰ情報、マイクロサテライト情報、ハプロタイプ情報のうち少なくとも一つであること、
を特徴とする請求項２５から２８のいずれか一つに記載のプログラム。
【請求項３０】
上記生体サンプルは、
血液サンプルであること、
を特徴とする請求項２５から２９のいずれか一つに記載のプログラム。
【請求項３１】
各病院が管理する病院システムと、匿名化権限分散化装置と、生体サンプルをタイピングして遺伝子多型情報を作成するタイピングシステムと、知識データベースを作成する研究機関システムとを含む匿名化権限分散化システムであって、
上記匿名化権限分散化装置は、
上記病院システムにて匿名化された患者の患者識別情報に対応する上記生体サンプルに対応付けられた表現型情報を取得する取得手段と、
上記取得手段により取得された上記表現型情報を匿名化する表現型情報匿名化手段と、
上記取得手段により取得された上記生体サンプルに基づいて上記タイピングシステムにてタイピングされた上記遺伝子多型情報を取得する遺伝子多型情報取得手段と、
上記遺伝子多型情報取得手段により取得された上記遺伝子多型情報を匿名化する遺伝子多型情報匿名化手段と、
を備えたことを特徴とする匿名化権限分散化システム。
【請求項３２】
上記匿名化権限分散化装置は、
上記表現型情報匿名化手段および上記遺伝子多型情報匿名化手段において、同一の匿名化の手法を用いて上記表現型情報および上記遺伝子多型情報を匿名化すること、
を特徴とする請求項３１に記載の匿名化権限分散化システム。
【請求項３３】
上記匿名化権限分散化装置は、
同一人から取得された、上記表現型情報匿名化手段により匿名化された上記表現型情報と、上記遺伝子多型情報匿名化手段により匿名化された上記遺伝子多型情報とを対応付ける対応付け手段、
をさらに備えたことを特徴とする請求項３１または３２に記載の匿名化権限分散化システム。
【請求項３４】
上記研究機関システムは、
上記匿名化権限分散化装置にて対応付けられた上記匿名化された上記表現型情報および上記匿名化された上記遺伝子多型情報を取得する匿名化表現型情報対応匿名化遺伝子多型情報取得手段と、
上記匿名化表現型情報対応匿名化遺伝子多型情報取得手段により取得された上記匿名化された上記表現型情報および上記匿名化された上記遺伝子多型情報に基づいて、突き合わせ解析を行う突き合わせ解析手段と、
をさらに備えたことを特徴とする請求項３１から３３のいずれか一つに記載の匿名化権限分散化システム。
【請求項３５】
上記遺伝子多型情報は、
ＳＮＰ情報、マイクロサテライト情報、ハプロタイプ情報のうち少なくとも一つであること、
を特徴とする請求項３１から３４のいずれか一つに記載の匿名化権限分散化システム。
【請求項３６】
上記生体サンプルは、
血液サンプルであること、
を特徴とする請求項３１から３５のいずれか一つに記載の匿名化権限分散化システム。
【発明の詳細な説明】
【０００１】
【発明の属する技術分野】
本発明は、匿名化権限分散化システム、匿名化権限分散化方法、匿名化権限分散化装置、匿名化権限分散化方法、および、プログラムに関し、特に、匿名化権限を分散化することにより、個人を特定される可能性を低減することができる匿名化権限分散化システム、匿名化権限分散化方法、匿名化権限分散化装置、匿名化権限分散化方法、および、プログラムに関する。
【０００２】
【従来の技術】
現在、遺伝子等の研究が進展するに伴い、複数の医療機関の協力を得て大規模に患者を募集して研究を推進する機運が高まっている。
【０００３】
このような状況の中、例えば、医療機関が治験対象者に対して行う投薬および検査等のいわゆる治験行為を情報管理の面から支援することで、治験の効率化と正確性を図っている（例えば、特許文献１参照。）。
【０００４】
しかし、この研究は遺伝子を取り扱うため、遺伝子情報から個人が特定されない仕組みを開発する必要がある。
【０００５】
従来は、この情報をどの個人の情報なのかわからなくするために、乱数やハッシュ値などによる匿名化が行われてきた。
【０００６】
【特許文献１】
特開２００１−１４２９７８号公報
【０００７】
【発明が解決しようとする課題】
しかしながら、匿名化処理を行った側（匿名情報の送り手側）が悪意を持った研究者（匿名情報の受け手）と結託した場合、個人が特定されてしまう可能性があるという問題点がある。
【０００８】
このように、従来のシステム等は数々の問題点を有しており、その結果、システムの利用者および管理者のいずれにとっても、利便性が悪く、また、利用効率が悪いものであった。
【０００９】
本発明は上記問題点に鑑みてなされたもので、匿名化権限を分散化することにより、個人を特定される可能性を低減することができる匿名化権限分散化システム、匿名化権限分散化方法、匿名化権限分散化装置、匿名化権限分散化方法、および、プログラムを提供することを目的としている。
【００１０】
【課題を解決するための手段】
このような目的を達成するために、請求項１に記載の匿名化権限分散化システムは、各病院が管理する病院システムと、匿名化権限分散化装置と、生体サンプルをタイピングして遺伝子多型情報を作成するタイピングシステムと、知識データベースを作成する研究機関システムとをネットワークを介して通信可能に接続した匿名化権限分散化システムであって、上記匿名化権限分散化装置は、上記病院システムにて匿名化された患者の患者識別情報に対応する上記生体サンプルに対応付けられた表現型情報を取得する取得手段と、上記取得手段により取得された上記表現型情報を匿名化する表現型情報匿名化手段と、上記取得手段により取得された上記生体サンプルに基づいて上記タイピングシステムにてタイピングされた上記遺伝子多型情報を取得する遺伝子多型情報取得手段と、上記遺伝子多型情報取得手段により取得された上記遺伝子多型情報を匿名化する遺伝子多型情報匿名化手段とを備えたことを特徴とする。
【００１１】
このシステムによれば、匿名化権限分散化装置は、病院システムにて匿名化された患者の患者識別情報に対応する生体サンプルに対応付けられた表現型情報を取得し、取得された表現型情報を匿名化し、取得された生体サンプルに基づいてタイピングシステムにてタイピングされた遺伝子多型情報を取得し、取得された遺伝子多型情報を匿名化するので、病院システムでの匿名化に加えて、研究機関システム以外の中立的な第三者機関で匿名化のみを再度行うことで病院と研究機関システムの情報だけでは個人を特定できないようにすることができる。
【００１２】
また、このシステムによれば、病院、研究機関システムともに安心して個人情報のやり取りをすることができるので、セキュリティ対策にかけるコストを低減することができる。
【００１３】
また、請求項２に記載の匿名化権限分散化システムは、請求項１に記載の匿名化権限分散化システムにおいて、上記匿名化権限分散化装置は、上記表現型情報匿名化手段および上記遺伝子多型情報匿名化手段において、同一の匿名化の手法を用いて上記表現型情報および上記遺伝子多型情報を匿名化することを特徴とする。
【００１４】
このシステムによれば、匿名化権限分散化装置は、表現型情報匿名化手段および遺伝子多型情報匿名化手段において、同一の匿名化の手法を用いて表現型情報および遺伝子多型情報を匿名化するので、匿名化された表現型情報と匿名化された遺伝子多型情報との対応付けの処理を省くことができる。
【００１５】
また、請求項３に記載の匿名化権限分散化システムは、請求項１または２に記載の匿名化権限分散化システムにおいて、上記匿名化権限分散化装置は、同一人から取得された、上記表現型情報匿名化手段により匿名化された上記表現型情報と、上記遺伝子多型情報匿名化手段により匿名化された上記遺伝子多型情報とを対応付ける対応付け手段をさらに備えたことを特徴とする。
【００１６】
このシステムによれば、匿名化権限分散化装置は、同一人から取得された、匿名化された表現型情報と、匿名化された遺伝子多型情報とを対応付けるので、対応付けられた匿名化された表現型情報と匿名化された遺伝子多型情報とを解析等に利用することができる。
【００１７】
また、請求項４に記載の匿名化権限分散化システムは、請求項１から３のいずれか一つに記載の匿名化権限分散化システムにおいて、上記研究機関システムは、上記匿名化権限分散化装置にて対応付けられた上記匿名化された上記表現型情報および上記匿名化された上記遺伝子多型情報を取得する匿名化表現型情報対応匿名化遺伝子多型情報取得手段と、上記匿名化表現型情報対応匿名化遺伝子多型情報取得手段により取得された上記匿名化された上記表現型情報および上記匿名化された上記遺伝子多型情報に基づいて、突き合わせ解析を行う突き合わせ解析手段とをさらに備えたことを特徴とする。
【００１８】
このシステムによれば、研究機関システムは、匿名化権限分散化装置にて対応付けられた匿名化された表現型情報および匿名化された遺伝子多型情報を取得し、取得された匿名化された表現型情報および匿名化された遺伝子多型情報に基づいて、突き合わせ解析を行うので、効率よく知識データベースを作成することができる。
【００１９】
また、請求項５に記載の匿名化権限分散化システムは、請求項１から４のいずれか一つに記載の匿名化権限分散化システムにおいて、上記遺伝子多型情報は、ＳＮＰ情報、マイクロサテライト情報、ハプロタイプ情報のうち少なくとも一つであることを特徴とする。
【００２０】
これは遺伝子多型情報の一例を一層具体的に示すものである。このシステムによれば、遺伝子多型情報は、ＳＮＰ情報、マイクロサテライト情報、ハプロタイプ情報のうち少なくとも一つであるので、現在において研究が進んでいる領域であるＳＮＰ情報、マイクロサテライト情報、ハプロタイプ情報を用いることができる。
【００２１】
また、請求項６に記載の匿名化権限分散化システムは、請求項１から５のいずれか一つに記載の匿名化権限分散化システムにおいて、上記生体サンプルは、血液サンプルであることを特徴とする。
【００２２】
これは生体サンプルの一例を一層具体的に示すものである。このシステムによれば、生体サンプルは、血液サンプルであるので、患者から容易に採取および解析することができる。
【００２３】
また、本発明は匿名化権限分散方法に関するものであり、請求項７に記載の匿名化権限分散方法は、各病院が管理する病院システムと、匿名化権限分散化装置と、生体サンプルをタイピングして遺伝子多型情報を作成するタイピングシステムと、知識データベースを作成する研究機関システムとをネットワークを介して通信可能に接続した匿名化権限分散化システムを用いて実行される匿名化権限分散方法であって、上記匿名化権限分散化装置において、上記病院システムにて匿名化された患者の患者識別情報に対応する上記生体サンプルに対応付けられた表現型情報を取得する取得ステップと、上記匿名化権限分散化装置において、上記取得ステップにより取得された上記表現型情報を匿名化する表現型情報匿名化ステップと、上記匿名化権限分散化装置において、上記取得ステップにより取得された上記生体サンプルに基づいて上記タイピングシステムにてタイピングされた上記遺伝子多型情報を取得する遺伝子多型情報取得ステップと、上記匿名化権限分散化装置において、上記遺伝子多型情報取得ステップにより取得された上記遺伝子多型情報を匿名化する遺伝子多型情報匿名化ステップとを含むことを特徴とする。
【００２４】
この方法によれば、匿名化権限分散化装置において、病院システムにて匿名化された患者の患者識別情報に対応する生体サンプルに対応付けられた表現型情報を取得し、匿名化権限分散化装置において、取得された表現型情報を匿名化し、匿名化権限分散化装置において、取得された生体サンプルに基づいてタイピングシステムにてタイピングされた遺伝子多型情報を取得し、匿名化権限分散化装置において、取得された遺伝子多型情報を匿名化するので、病院システムでの匿名化に加えて、研究機関システム以外の中立的な第三者機関で匿名化のみを再度行うことで病院と研究機関システムの情報だけでは個人を特定できないようにすることができる。
【００２５】
また、この方法によれば、病院、研究機関システムともに安心して個人情報のやり取りをすることができるので、セキュリティ対策にかけるコストを低減することができる。
【００２６】
また、請求項８に記載の匿名化権限分散方法は、請求項７に記載の匿名化権限分散方法において、上記匿名化権限分散化装置において、上記表現型情報匿名化ステップおよび上記遺伝子多型情報匿名化ステップにおいて、同一の匿名化の手法を用いて上記表現型情報および上記遺伝子多型情報を匿名化することを特徴とする。
【００２７】
この方法によれば、匿名化権限分散化装置において、表現型情報匿名化ステップおよび遺伝子多型情報匿名化ステップにおいて、同一の匿名化の手法を用いて表現型情報および遺伝子多型情報を匿名化するので、匿名化された表現型情報と匿名化された遺伝子多型情報との対応付けの処理を省くことができる。
【００２８】
また、請求項９に記載の匿名化権限分散方法は、請求項７または８に記載の匿名化権限分散方法において、上記匿名化権限分散化装置において、同一人から取得された、上記表現型情報匿名化ステップにより匿名化された上記表現型情報と、上記遺伝子多型情報匿名化ステップにより匿名化された上記遺伝子多型情報とを対応付ける対応付けステップをさらに含むことを特徴とする。
【００２９】
この方法によれば、匿名化権限分散化装置において、同一人から取得された、匿名化された表現型情報と、匿名化された遺伝子多型情報とを対応付けるので、対応付けられた匿名化された表現型情報と匿名化された遺伝子多型情報とを解析等に利用することができる。
【００３０】
また、請求項１０に記載の匿名化権限分散方法は、請求項７から９のいずれか一つに記載の匿名化権限分散方法において、上記研究機関システムにおいて、上記匿名化権限分散化装置にて対応付けられた上記匿名化された上記表現型情報および上記匿名化された上記遺伝子多型情報を取得する匿名化表現型情報対応匿名化遺伝子多型情報取得ステップと、上記研究機関システムにおいて、上記匿名化表現型情報対応匿名化遺伝子多型情報取得ステップにより取得された上記匿名化された上記表現型情報および上記匿名化された上記遺伝子多型情報に基づいて、突き合わせ解析を行う突き合わせ解析ステップとをさらに含むことを特徴とする。
【００３１】
この方法によれば、研究機関システムにおいて、匿名化権限分散化装置にて対応付けられた匿名化された表現型情報および匿名化された遺伝子多型情報を取得し、研究機関システムにおいて、取得された匿名化された表現型情報および匿名化された遺伝子多型情報に基づいて、突き合わせ解析を行うので、効率よく知識データベースを作成することができる。
【００３２】
また、請求項１１に記載の匿名化権限分散方法は、請求項７から１０のいずれか一つに記載の匿名化権限分散方法において、上記遺伝子多型情報は、ＳＮＰ情報、マイクロサテライト情報、ハプロタイプ情報のうち少なくとも一つであることを特徴とする。
【００３３】
これは遺伝子多型情報の一例を一層具体的に示すものである。この方法によれば、遺伝子多型情報は、ＳＮＰ情報、マイクロサテライト情報、ハプロタイプ情報のうち少なくとも一つであるので、現在において研究が進んでいる領域であるＳＮＰ情報、マイクロサテライト情報、ハプロタイプ情報を用いることができる。
【００３４】
また、請求項１２に記載の匿名化権限分散化方法は、請求項７から１１のいずれか一つに記載の匿名化権限分散化方法において、上記生体サンプルは、血液サンプルであることを特徴とする。
【００３５】
これは生体サンプルの一例を一層具体的に示すものである。この方法によれば、生体サンプルは、血液サンプルであるので、患者から容易に採取および解析することができる。
【００３６】
また、本発明は匿名化権限分散化装置に関するものであり、請求項１３に記載の匿名化権限分散化装置は、予め匿名化された患者の患者識別情報に対応する生体サンプルに対応付けられた表現型情報を取得する取得手段と、上記取得手段により取得された上記表現型情報を匿名化する表現型情報匿名化手段と、上記取得手段により取得された上記生体サンプルに基づいてタイピングされた遺伝子多型情報を取得する遺伝子多型情報取得手段と、上記遺伝子多型情報取得手段により取得された上記遺伝子多型情報を匿名化する遺伝子多型情報匿名化手段とを備えたことを特徴とする。
【００３７】
この装置によれば、予め匿名化された患者の患者識別情報に対応する生体サンプルに対応付けられた表現型情報を取得し、取得された表現型情報を匿名化し、取得された生体サンプルに基づいてタイピングされた遺伝子多型情報を取得し、取得された遺伝子多型情報を匿名化するので、病院システムでの匿名化に加えて、研究機関システム以外の中立的な第三者機関で匿名化のみを再度行うことで病院と研究機関システムの情報だけでは個人を特定できないようにすることができる。
【００３８】
また、この装置によれば、病院、研究機関システムともに安心して個人情報のやり取りをすることができるので、セキュリティ対策にかけるコストを低減することができる。
【００３９】
また、請求項１４に記載の匿名化権限分散化装置は、請求項１３に記載の匿名化権限分散化装置において、上記表現型情報匿名化手段および上記遺伝子多型情報匿名化手段において、同一の匿名化の手法を用いて上記表現型情報および上記遺伝子多型情報を匿名化することを特徴とする。
【００４０】
この装置によれば、表現型情報匿名化手段および遺伝子多型情報匿名化手段において、同一の匿名化の手法を用いて表現型情報および遺伝子多型情報を匿名化するので、匿名化された表現型情報と匿名化された遺伝子多型情報との対応付けの処理を省くことができる。
【００４１】
また、請求項１５に記載の匿名化権限分散化装置は、請求項１３または１４に記載の匿名化権限分散化装置において、同一人から取得された、上記表現型情報匿名化手段により匿名化された上記表現型情報と、上記遺伝子多型情報匿名化手段により匿名化された上記遺伝子多型情報とを対応付ける対応付け手段をさらに備えたことを特徴とする。
【００４２】
この装置によれば、同一人から取得された、匿名化された表現型情報と、匿名化された遺伝子多型情報とを対応付けるので、対応付けられた匿名化された表現型情報と匿名化された遺伝子多型情報とを解析等に利用することができる。
【００４３】
また、請求項１６に記載の匿名化権限分散化装置は、請求項１３から１５のいずれか一つに記載の匿名化権限分散化装置において、対応付けられた上記匿名化された上記表現型情報および上記匿名化された上記遺伝子多型情報を送信する匿名化表現型情報対応匿名化遺伝子多型情報送信手段をさらに備えたことを特徴とする。
【００４４】
この装置によれば、対応付けられた匿名化された表現型情報および匿名化された遺伝子多型情報を送信するので、ネットワーク等を介して匿名化された表現型情報および匿名化された遺伝子多型情報の共有化を容易に図ることができる。
【００４５】
また、請求項１７に記載の匿名化権限分散化装置は、請求項１３から１６のいずれか一つに記載の匿名化権限分散化装置において、上記遺伝子多型情報は、ＳＮＰ情報、マイクロサテライト情報、ハプロタイプ情報のうち少なくとも一つであることを特徴とする。
【００４６】
これは遺伝子多型情報の一例を一層具体的に示すものである。この装置によれば、遺伝子多型情報は、ＳＮＰ情報、マイクロサテライト情報、ハプロタイプ情報のうち少なくとも一つであるので、現在において研究が進んでいる領域であるＳＮＰ情報、マイクロサテライト情報、ハプロタイプ情報を用いることができる。
【００４７】
また、請求項１８に記載の匿名化権限分散化装置は、請求項１３から１７のいずれか一つに記載の匿名化権限分散化装置において、上記生体サンプルは、血液サンプルであることを特徴とする。
【００４８】
これは生体サンプルの一例を一層具体的に示すものである。この装置によれば、生体サンプルは、血液サンプルであるので、患者から容易に採取および解析することができる。
【００４９】
また、本発明は匿名化権限分散化方法に関するものであり、請求項１９に記載の匿名化権限分散化方法は、予め匿名化された患者の患者識別情報に対応する生体サンプルに対応付けられた表現型情報を取得する取得ステップと、上記取得ステップにより取得された上記表現型情報を匿名化する表現型情報匿名化ステップと、上記取得ステップにより取得された上記生体サンプルに基づいてタイピングされた遺伝子多型情報を取得する遺伝子多型情報取得ステップと、上記遺伝子多型情報取得ステップにより取得された上記遺伝子多型情報を匿名化する遺伝子多型情報匿名化ステップとを含むことを特徴とする。
【００５０】
この方法によれば、予め匿名化された患者の患者識別情報に対応する生体サンプルに対応付けられた表現型情報を取得し、取得された表現型情報を匿名化し、取得された生体サンプルに基づいてタイピングされた遺伝子多型情報を取得し、取得された遺伝子多型情報を匿名化するので、病院システムでの匿名化に加えて、研究機関システム以外の中立的な第三者機関で匿名化のみを再度行うことで病院と研究機関システムの情報だけでは個人を特定できないようにすることができる。
【００５１】
また、この方法によれば、病院、研究機関システムともに安心して個人情報のやり取りをすることができるので、セキュリティ対策にかけるコストを低減することができる。
【００５２】
また、請求項２０に記載の匿名化権限分散化方法は、請求項１９に記載の匿名化権限分散化方法において、上記表現型情報匿名化ステップおよび上記遺伝子多型情報匿名化ステップにおいて、同一の匿名化の手法を用いて上記表現型情報および上記遺伝子多型情報を匿名化することを特徴とする。
【００５３】
この方法によれば、表現型情報匿名化手段および遺伝子多型情報匿名化手段において、同一の匿名化の手法を用いて表現型情報および遺伝子多型情報を匿名化するので、匿名化された表現型情報と匿名化された遺伝子多型情報との対応付けの処理を省くことができる。
【００５４】
また、請求項２１に記載の匿名化権限分散化方法は、請求項１９または２０に記載の匿名化権限分散化方法において、同一人から取得された、上記表現型情報匿名化ステップにより匿名化された上記表現型情報と、上記遺伝子多型情報匿名化ステップにより匿名化された上記遺伝子多型情報とを対応付ける対応付けステップをさらに含むことを特徴とする。
【００５５】
この方法によれば、同一人から取得された、匿名化された表現型情報と、匿名化された遺伝子多型情報とを対応付けるので、対応付けられた匿名化された表現型情報と匿名化された遺伝子多型情報とを解析等に利用することができる。
【００５６】
また、請求項２２に記載の匿名化権限分散化方法は、請求項１９から２１のいずれか一つに記載の匿名化権限分散化方法において、対応付けられた上記匿名化された上記表現型情報および上記匿名化された上記遺伝子多型情報を送信する匿名化表現型情報対応匿名化遺伝子多型情報送信ステップをさらに含むことを特徴とする。
【００５７】
この方法によれば、対応付けられた匿名化された表現型情報および匿名化された遺伝子多型情報を送信するので、ネットワーク等を介して匿名化された表現型情報および匿名化された遺伝子多型情報の共有化を容易に図ることができる。
【００５８】
また、請求項２３に匿名化権限分散化方法は、請求項１９から２２のいずれか一つに記載の匿名化権限分散化方法において、上記遺伝子多型情報は、ＳＮＰ情報、マイクロサテライト情報、ハプロタイプ情報のうち少なくとも一つであることを特徴とする。
【００５９】
これは遺伝子多型情報の一例を一層具体的に示すものである。この方法によれば、遺伝子多型情報は、ＳＮＰ情報、マイクロサテライト情報、ハプロタイプ情報のうち少なくとも一つであるので、現在において研究が進んでいる領域であるＳＮＰ情報、マイクロサテライト情報、ハプロタイプ情報を用いることができる。
【００６０】
また、請求項２４に匿名化権限分散化方法は、請求項１９から２３のいずれか一つに記載の匿名化権限分散化方法において、上記生体サンプルは、血液サンプルであることを特徴とする。
【００６１】
これは生体サンプルの一例を一層具体的に示すものである。この方法によれば、生体サンプルは、血液サンプルであるので、患者から容易に採取および解析することができる。
【００６２】
また、本発明はプログラムに関するものであり、請求項２５に記載の匿名化権限分散化方法をコンピュータに実行させることを特徴とするプログラムは、予め匿名化された患者の患者識別情報に対応する生体サンプルに対応付けられた表現型情報を取得する取得ステップと、上記取得ステップにより取得された上記表現型情報を匿名化する表現型情報匿名化ステップと、上記取得ステップにより取得された上記生体サンプルに基づいてタイピングされた遺伝子多型情報を取得する遺伝子多型情報取得ステップと、上記遺伝子多型情報取得ステップにより取得された上記遺伝子多型情報を匿名化する遺伝子多型情報匿名化ステップとを含むことを特徴とする。
【００６３】
このプログラムによれば、予め匿名化された患者の患者識別情報に対応する生体サンプルに対応付けられた表現型情報を取得し、取得された表現型情報を匿名化し、取得された生体サンプルに基づいてタイピングされた遺伝子多型情報を取得し、取得された遺伝子多型情報を匿名化するので、病院システムでの匿名化に加えて、研究機関システム以外の中立的な第三者機関で匿名化のみを再度行うことで病院と研究機関システムの情報だけでは個人を特定できないようにすることができる。
【００６４】
また、このプログラムによれば、病院、研究機関システムともに安心して個人情報のやり取りをすることができるので、セキュリティ対策にかけるコストを低減することができる。
【００６５】
また、請求項２６に記載のプログラムは、請求項２５に記載のプログラムにおいて、上記表現型情報匿名化ステップおよび上記遺伝子多型情報匿名化ステップにおいて、同一の匿名化の手法を用いて上記表現型情報および上記遺伝子多型情報を匿名化することを特徴とする。
【００６６】
このプログラムによれば、表現型情報匿名化手段および遺伝子多型情報匿名化手段において、同一の匿名化の手法を用いて表現型情報および遺伝子多型情報を匿名化するので、匿名化された表現型情報と匿名化された遺伝子多型情報との対応付けの処理を省くことができる。
【００６７】
また、請求項２７に記載のプログラムは、請求項２５または２６に記載のプログラムにおいて、同一人から取得された、上記表現型情報匿名化ステップにより匿名化された上記表現型情報と、上記遺伝子多型情報匿名化ステップにより匿名化された上記遺伝子多型情報とを対応付ける対応付けステップをさらに含むことを特徴とする。
【００６８】
このプログラムによれば、同一人から取得された、匿名化された表現型情報と、匿名化された遺伝子多型情報とを対応付けるので、対応付けられた匿名化された表現型情報と匿名化された遺伝子多型情報とを解析等に利用することができる。
【００６９】
また、請求項２８に記載のプログラムは、請求項２５から２７のいずれか一つに記載のプログラムにおいて、対応付けられた上記匿名化された上記表現型情報および上記匿名化された上記遺伝子多型情報を送信する匿名化表現型情報対応匿名化遺伝子多型情報送信ステップをさらに含むことを特徴とする。
【００７０】
このプログラムによれば、対応付けられた匿名化された表現型情報および匿名化された遺伝子多型情報を送信するので、ネットワーク等を介して匿名化された表現型情報および匿名化された遺伝子多型情報の共有化を容易に図ることができる。
【００７１】
また、請求項２９にプログラムは、請求項２５から２８のいずれか一つに記載のプログラムにおいて、上記遺伝子多型情報は、ＳＮＰ情報、マイクロサテライト情報、ハプロタイプ情報のうち少なくとも一つであることを特徴とする。
【００７２】
これは遺伝子多型情報の一例を一層具体的に示すものである。このプログラムによれば、遺伝子多型情報は、ＳＮＰ情報、マイクロサテライト情報、ハプロタイプ情報のうち少なくとも一つであるので、現在において研究が進んでいる領域であるＳＮＰ情報、マイクロサテライト情報、ハプロタイプ情報を用いることができる。
【００７３】
また、請求項３０にプログラムは、請求項２５から２９のいずれか一つに記載のプログラムにおいて、上記生体サンプルは、血液サンプルであることを特徴とする。
【００７４】
これは生体サンプルの一例を一層具体的に示すものである。このプログラムによれば、生体サンプルは、血液サンプルであるので、患者から容易に採取および解析することができる。
【００７５】
また、本発明は匿名化権限分散化システムに関するものであり、請求項３１に記載の匿名化権限分散化システムは、各病院が管理する病院システムと、匿名化権限分散化装置と、生体サンプルをタイピングして遺伝子多型情報を作成するタイピングシステムと、知識データベースを作成する研究機関システムとを含む匿名化権限分散化システムであって、上記匿名化権限分散化装置は、上記病院システムにて匿名化された患者の患者識別情報に対応する上記生体サンプルに対応付けられた表現型情報を取得する取得手段と、上記取得手段により取得された上記表現型情報を匿名化する表現型情報匿名化手段と、上記取得手段により取得された上記生体サンプルに基づいて上記タイピングシステムにてタイピングされた上記遺伝子多型情報を取得する遺伝子多型情報取得手段と、上記遺伝子多型情報取得手段により取得された上記遺伝子多型情報を匿名化する遺伝子多型情報匿名化手段とを備えたことを特徴とする。
【００７６】
このシステムによれば、匿名化権限分散化装置は、病院システムにて匿名化された患者の患者識別情報に対応する生体サンプルに対応付けられた表現型情報を取得し、取得された表現型情報を匿名化し、取得された生体サンプルに基づいてタイピングシステムにてタイピングされた遺伝子多型情報を取得し、取得された遺伝子多型情報を匿名化するので、病院システムでの匿名化に加えて、研究機関システム以外の中立的な第三者機関で匿名化のみを再度行うことで病院と研究機関システムの情報だけでは個人を特定できないようにすることができる。
【００７７】
また、このシステムによれば、病院、研究機関システムともに安心して個人情報のやり取りをすることができるので、セキュリティ対策にかけるコストを低減することができる。
【００７８】
また、請求項３２に記載の匿名化権限分散化システムは、請求項３１に記載の匿名化権限分散化システムにおいて、上記匿名化権限分散化装置は、上記表現型情報匿名化手段および上記遺伝子多型情報匿名化手段において、同一の匿名化の手法を用いて上記表現型情報および上記遺伝子多型情報を匿名化することを特徴とする。
【００７９】
このシステムによれば、匿名化権限分散化装置は、表現型情報匿名化手段および遺伝子多型情報匿名化手段において、同一の匿名化の手法を用いて表現型情報および遺伝子多型情報を匿名化するので、匿名化された表現型情報と匿名化された遺伝子多型情報との対応付けの処理を省くことができる。
【００８０】
また、請求項３３に記載の匿名化権限分散化システムは、請求項３１または３２に記載の匿名化権限分散化システムにおいて、上記匿名化権限分散化装置は、同一人から取得された、上記表現型情報匿名化手段により匿名化された上記表現型情報と、上記遺伝子多型情報匿名化手段により匿名化された上記遺伝子多型情報とを対応付ける対応付け手段をさらに備えたことを特徴とする。
【００８１】
このシステムによれば、匿名化権限分散化装置は、同一人から取得された、匿名化された表現型情報と、匿名化された遺伝子多型情報とを対応付けるので、対応付けられた匿名化された表現型情報と匿名化された遺伝子多型情報とを解析等に利用することができる。
【００８２】
また、請求項３４に記載の匿名化権限分散化システムは、請求項３１から３３のいずれか一つに記載の匿名化権限分散化システムにおいて、上記研究機関システムは、上記匿名化権限分散化装置にて対応付けられた上記匿名化された上記表現型情報および上記匿名化された上記遺伝子多型情報を取得する匿名化表現型情報対応匿名化遺伝子多型情報取得手段と、上記匿名化表現型情報対応匿名化遺伝子多型情報取得手段により取得された上記匿名化された上記表現型情報および上記匿名化された上記遺伝子多型情報に基づいて、突き合わせ解析を行う突き合わせ解析手段とをさらに備えたことを特徴とする。
【００８３】
このシステムによれば、研究機関システムは、匿名化権限分散化装置にて対応付けられた匿名化された表現型情報および匿名化された遺伝子多型情報を取得し、取得された匿名化された表現型情報および匿名化された遺伝子多型情報に基づいて、突き合わせ解析を行うので、効率よく知識データベースを作成することができる。
【００８４】
また、請求項３５に記載の匿名化権限分散化システムは、請求項３１から３４のいずれか一つに記載の匿名化権限分散化システムにおいて、上記遺伝子多型情報は、ＳＮＰ情報、マイクロサテライト情報、ハプロタイプ情報のうち少なくとも一つであることを特徴とする。
【００８５】
これは遺伝子多型情報の一例を一層具体的に示すものである。このシステムによれば、遺伝子多型情報は、ＳＮＰ情報、マイクロサテライト情報、ハプロタイプ情報のうち少なくとも一つであるので、現在において研究が進んでいる領域であるＳＮＰ情報、マイクロサテライト情報、ハプロタイプ情報を用いることができる。
【００８６】
また、請求項３６に記載の匿名化権限分散化システムは、請求項３１から３５のいずれか一つに記載の匿名化権限分散化システムにおいて、上記生体サンプルは、血液サンプルであることを特徴とする。
【００８７】
これは生体サンプルの一例を一層具体的に示すものである。このシステムによれば、生体サンプルは、血液サンプルであるので、患者から容易に採取および解析することができる。
【００８８】
【発明の実施の形態】
以下に、本発明にかかる匿名化権限分散化システム、匿名化権限分散化方法、匿名化権限分散化装置、匿名化権限分散化方法、および、プログラムの実施の形態を図面に基づいて詳細に説明する。なお、この実施の形態によりこの発明が限定されるものではない。
【００８９】
［本発明の概要］
以下、本発明の概要について説明し、その後、本発明の構成および処理等について詳細に説明する。図１は、本発明における匿名化権限分散化システムの基本原理を示す図である。
【００９０】
なお、本発明において、病院システムと、匿名化権限分散化装置と、タイピングシステムと、研究機関システムとをネットワークを介して通信可能に接続した場合を一例に説明するが、本発明はかかる場合に限定されることなく、例えば、ネットワークを介さずに、情報が記録されたコンピュータ読み取り可能な記録媒体（例えば、ＭＯ、フレキシブルディスクなど）を物理的な輸送手段により輸送し、当該記録媒体を読み取り、情報を取得するなどしてもよい。
【００９１】
まず、匿名化権限分散化装置は、病院システムにて匿名化された患者の患者識別情報に対応する生体サンプルに対応付けられた表現型情報を取得し、取得された表現型情報を表現型情報ファイルの所定の領域に格納する（ステップＳ−１）。
【００９２】
ついで、匿名化権限分散化装置は、ステップＳ−１にて取得された表現型情報を匿名化し、匿名化表現型情報ファイルの所定の領域に格納する（ステップＳ−２）。
【００９３】
ついで、匿名化権限分散化装置は、取得された生体サンプルに基づいてタイピングシステムにてタイピングされた遺伝子多型情報を取得し、遺伝子多型情報ファイルの所定の領域に格納する（ステップＳ−３）。
【００９４】
ここで、当該取得は、例えば、タイピングシステムより物理的な輸送手段にて輸送された記録媒体（例えば、ＭＯ、フレキシブルディスクなど）を読み取り、遺伝子多型情報を取得してもよい。また、ネットワークを介してタイピングシステムから送信された遺伝子多型情報を取得してもよい。
【００９５】
さらに、匿名化権限分散化装置は、ステップＳ−３にて取得された遺伝子多型情報を匿名化し、匿名化遺伝子多型情報ファイルの所定の領域に格納する（ステップＳ−４）。
【００９６】
ここで、匿名化権限分散化装置において、ステップＳ−２およびステップＳ−４にて行われる匿名化は、同一の匿名化の手法を用いて表現型情報および遺伝子多型情報を匿名化してもよい。これにより、匿名化された表現型情報と匿名化された遺伝子多型情報との対応付けの処理を省くことができる。
【００９７】
また、匿名化権限分散化装置は、同一人から取得された、ステップＳ−２にて匿名化された表現型情報と、ステップＳ−４にて匿名化された遺伝子多型情報とを対応付けてもよい（ステップＳ−５）。
【００９８】
また、匿名化権限分散化装置は、対応付けられた匿名化された表現型情報および匿名化された遺伝子多型情報を、例えば、研究機関システムなどにネットワークを介して送信してもよい。
【００９９】
また、研究機関システムは、匿名化権限分散化装置にて対応付けられた匿名化された表現型情報および匿名化された遺伝子多型情報を取得してもよい（ステップＳ−６）。
【０１００】
また、研究機関システムは、ステップＳ−６にて取得された匿名化された表現型情報および匿名化された遺伝子多型情報に基づいて、突き合わせ解析を行ってもよい（ステップＳ−７）。
【０１０１】
また、遺伝子多型情報は、ＳＮＰ情報、マイクロサテライト情報、ハプロタイプ情報などのうち少なくとも一つであってもよい。
【０１０２】
また、生体サンプルは、血液サンプルなどであってもよい。
【０１０３】
［システム構成］
次に、本システムの構成について説明する。図２は、本発明が適用される匿名化権限分散化装置のシステム構成の一例を示すブロック図であり、該構成のうち本発明に関係する部分のみを概念的に示している。
【０１０４】
本システムは、概略的に、匿名化権限を分散化することにより、個人を特定される可能性を低減することができる匿名化権限分散化装置１００と、各病院が管理する病院システム２００と、生体サンプルをタイピングして遺伝子多型情報を作成するタイピングシステム４００と、知識データベースを作成する研究機関システム５００とを、ネットワーク３００を介して通信可能に接続して構成されている。
【０１０５】
図２において、病院システム２００は、ネットワーク３００を介して、匿名化権限分散化装置１００と相互に接続され、カルテ情報を匿名化し臨床情報の曖昧化をすることで作成された表現型情報、および、匿名化された患者の患者識別情報に対応する生体サンプルを作成・管理する機能を有する。
【０１０６】
図２において、ネットワーク３００は、匿名化権限分散化装置１００と、病院システム２００と、タイピングシステム４００と、研究機関システム５００とを相互に接続する機能を有し、例えば、インターネット等である。
【０１０７】
図２において、タイピングシステム４００は、生体サンプルをタイピングして遺伝子多型情報を作成・管理する機能を有する。
【０１０８】
図２において、匿名化権限分散化装置１００は、概略的に、匿名化権限分散化装置１００の全体を統括的に制御するＣＰＵ等の制御部１０２、通信回線等に接続されるルータ等の通信装置（図示せず）に接続される通信制御インターフェース部１０４、入力装置１１２や出力装置１１４に接続される入出力制御インターフェース部１０８、および、各種のデータベースやファイルなどを格納する記憶部１０６を備えて構成されており、これら各部は任意の通信路を介して通信可能に接続されている。さらに、この匿名化権限分散化装置１００は、ルータ等の通信装置および専用線等の有線または無線の通信回線を介して、ネットワーク３００に通信可能に接続されている。
【０１０９】
図２の記憶部１０６に格納される各種のデータベースやテーブルやファイル（表現型情報ファイル１０６ａ〜匿名化遺伝子多型情報ファイル１０６ｄ）は、固定ディスク装置等のストレージ手段であり、各種処理に用いる各種のプログラムやテーブルやファイルやデータベースやウェブページ用ファイル等を格納する。
【０１１０】
これら記憶部１０６の各構成要素のうち、表現型情報ファイル１０６ａは、後述する取得部１０２ａにより取得された、病院システム２００にて匿名化された患者の患者識別情報に対応する表現型情報を格納する表現型情報格納手段である。
【０１１１】
この表現型情報ファイル１０６ａに格納される情報は、予め匿名化された表現型情報で構成されている。
【０１１２】
また、遺伝子多型情報ファイル１０６ｂは、後述する遺伝子多型情報取得部１０２ｃにより取得された、後述する取得部１０２ａにより取得された生体サンプルに基づいてタイピングシステム４００にてタイピングされた遺伝子多型情報を格納する遺伝子多型情報格納手段である。
【０１１３】
遺伝子多型情報ファイル１０６ｂに格納される情報は、生体サンプルに基づいてタイピングされた遺伝子多型情報で構成されている。
【０１１４】
また、匿名化表現型情報ファイル１０６ｃは、後述する表現型情報匿名化部１０２ｂによりさらに匿名化された表現型情報を格納する匿名化表現型情報格納手段である。
【０１１５】
この匿名化表現型情報ファイル１０６ｃに格納される情報は、さらに匿名化された表現型情報で構成されている。
【０１１６】
また、匿名化遺伝子多型情報ファイル１０６ｄは、後述する遺伝子多型情報匿名化部１０２ｄによりさらに匿名化された遺伝子多型情報を格納する匿名化遺伝子多型情報格納手段である。
【０１１７】
この匿名化遺伝子多型情報ファイル１０６ｄに格納される情報は、さらに匿名化された遺伝子多型情報で構成されている。
【０１１８】
また、図２において、通信制御インターフェース部１０４は、匿名化権限分散化装置１００とネットワーク３００（またはルータ等の通信装置）との間における通信制御を行う。すなわち、通信制御インターフェース部１０４は、他の端末と通信回線を介してデータを通信する機能を有する。
【０１１９】
また、図２において、入出力制御インターフェース部１０８は、入力装置１１２や出力装置１１４の制御を行う。ここで、出力装置１１４としては、モニタ（家庭用テレビを含む）の他、スピーカを用いることができる（なお、以下においては出力装置１１４をモニタとして記載する場合がある）。また、入力装置１１２としては、キーボード、マウス、および、マイク等を用いることができる。また、モニタも、マウスと協働してポインティングデバイス機能を実現する。
【０１２０】
また、図２において、制御部１０２は、ＯＳ（Ｏｐｅｒａｔｉｎｇ  Ｓｙｓｔｅｍ）等の制御プログラム、各種の処理手順等を規定したプログラム、および所要データを格納するための内部メモリを有し、これらのプログラム等により、種々の処理を実行するための情報処理を行う。制御部１０２は、機能概念的に、取得部１０２ａ、表現型情報匿名化部１０２ｂ、遺伝子多型情報取得部１０２ｃ、遺伝子多型情報匿名化部１０２ｄ、対応付け部１０２ｅ、匿名化表現型情報対応匿名化遺伝子多型情報送信部１０２ｆを含んで構成されている。
【０１２１】
このうち、取得部１０２ａは、病院システム２００にて匿名化された患者の患者識別情報に対応する生体サンプルに対応付けられた表現型情報を取得する取得手段である。
【０１２２】
また、表現型情報匿名化部１０２ｂは、取得部１０２ａにより取得された表現型情報を匿名化する表現型情報匿名化手段である。
【０１２３】
また、遺伝子多型情報取得部１０２ｃは、取得部１０２ａにより取得された生体サンプルに基づいてタイピングシステム４００にてタイピングされた遺伝子多型情報を取得する遺伝子多型情報取得手段である。
【０１２４】
また、遺伝子多型情報匿名化部１０２ｄは、遺伝子多型情報取得部１０２ｃにより取得された遺伝子多型情報を匿名化する遺伝子多型情報匿名化手段である。
【０１２５】
また、対応付け部１０２ｅは、同一人から取得された、表現型情報匿名化部１０２ｂにより匿名化された表現型情報と、遺伝子多型情報匿名化部１０２ｄにより匿名化された遺伝子多型情報とを対応付ける対応付け手段である。
【０１２６】
また、匿名化表現型情報対応匿名化遺伝子多型情報送信部１０２ｆは、対応付けられた匿名化された表現型情報および匿名化された遺伝子多型情報を、例えば、研究機関システム５００に送信する匿名化表現型情報対応匿名化遺伝子多型情報送信手段である。
【０１２７】
なお、これら各部によって行われる処理の詳細については、後述する。
【０１２８】
次に、研究機関システム５００のシステム構成について、図３を参照して説明する。図３は、本発明が適用される研究機関システムのシステム構成の一例を示すブロック図であり、該構成のうち本発明に関係する部分のみを概念的に示している。
【０１２９】
図３において、研究機関システム５００は、概略的に、研究機関システム５００の全体を統括的に制御するＣＰＵ等の制御部５０２、通信回線等に接続されるルータ等の通信装置（図示せず）に接続される通信制御インターフェース部５０４、入力装置５１２や出力装置５１４に接続される入出力制御インターフェース部５０８、および、各種のデータベースやファイルなどを格納する記憶部５０６を備えて構成されており、これら各部は任意の通信路を介して通信可能に接続されている。さらに、この研究機関システム５００は、ルータ等の通信装置および専用線等の有線または無線の通信回線を介して、ネットワーク３００に通信可能に接続されている。
【０１３０】
図３の記憶部５０６に格納される各種のデータベースやテーブルやファイル（匿名化表現型情報ファイル５０６ａ〜知識データベース５０６ｃ）は、固定ディスク装置等のストレージ手段であり、各種処理に用いる各種のプログラムやテーブルやファイルやデータベースやウェブページ用ファイル等を格納する。
【０１３１】
これら記憶部１０６の各構成要素のうち、匿名化表現型情報ファイル５０６ａは、後述する匿名化表現型情報対応匿名化遺伝子多型情報取得部５０２ａにより取得された、匿名化権限分散化装置１００にて匿名化された遺伝子多型情報と対応付けられた匿名化された表現型情報を格納する匿名化表現型情報格納手段である。
【０１３２】
この匿名化表現型情報ファイル５０６ａに格納される情報は、匿名化権限分散化装置１００にて匿名化された遺伝子多型情報と対応付けられた匿名化された表現型情報で構成されている。
【０１３３】
また、匿名化遺伝子多型情報ファイル５０６ｂは、後述する匿名化表現型情報対応匿名化遺伝子多型情報取得部５０２ａにより取得された、匿名化権限分散化装置１００にて匿名化された表現型情報と対応付けられた匿名化された遺伝子多型情報を格納する遺伝子多型情報格納手段である。
【０１３４】
この匿名化遺伝子多型情報ファイル５０６ｂに格納される情報は、匿名化権限分散化装置１００にて匿名化された表現型情報と対応付けられた匿名化された遺伝子多型情報で構成されている。
【０１３５】
また、知識データベース５０６ｃは、後述する突き合わせ解析部５０２ｂにより突き合わせ解析された解析結果を格納する知識格納手段である。
【０１３６】
この知識データベース５０６ｃに格納される情報は、突き合わせ解析された解析結果で構成されている。
【０１３７】
また、図３において、通信制御インターフェース部５０４は、研究機関システム５００とネットワーク３００（またはルータ等の通信装置）との間における通信制御を行う。すなわち、通信制御インターフェース部５０４は、他の端末と通信回線を介してデータを通信する機能を有する。
【０１３８】
また、図３において、入出力制御インターフェース部５０８は、入力装置５１２や出力装置５１４の制御を行う。ここで、出力装置５１４としては、モニタ（家庭用テレビを含む）の他、スピーカを用いることができる（なお、以下においては出力装置５１４をモニタとして記載する場合がある）。また、入力装置５１２としては、キーボード、マウス、および、マイク等を用いることができる。また、モニタも、マウスと協働してポインティングデバイス機能を実現する。
【０１３９】
また、図３において、制御部５０２は、ＯＳ（Ｏｐｅｒａｔｉｎｇ  Ｓｙｓｔｅｍ）等の制御プログラム、各種の処理手順等を規定したプログラム、および所要データを格納するための内部メモリを有し、これらのプログラム等により、種々の処理を実行するための情報処理を行う。制御部５０２は、機能概念的に、匿名化表現型情報対応匿名化遺伝子多型情報取得部５０２ａ、突き合わせ解析部５０２ｂを含んで構成されている。
【０１４０】
このうち、匿名化表現型情報対応匿名化遺伝子多型情報取得部５０２ａは、匿名化権限分散化装置１００にて対応付けられた匿名化された表現型情報および匿名化された遺伝子多型情報を取得する匿名化表現型情報対応匿名化遺伝子多型情報取得手段である。
【０１４１】
また、突き合わせ解析部５０２ｂは、匿名化表現型情報対応匿名化遺伝子多型情報取得部５０２ａにより取得された匿名化された表現型情報および匿名化された遺伝子多型情報に基づいて、突き合わせ解析を行う突き合わせ解析手段である。
【０１４２】
なお、これら各部によって行われる処理の詳細については、後述する。
【０１４３】
［システムの処理］
次に、このように構成された本実施の形態における本システムの処理の一例について、以下に図４から図６等を参照して詳細に説明する。
【０１４４】
（メイン処理）
まず、メイン処理の詳細について、図４等を参照して説明する。図４は、本実施形態における本システムのメイン処理の一例を示すフローチャートである。
【０１４５】
まず、匿名化権限分散化装置１００は、取得部１０２ａの処理により、病院システム２００にて匿名化された患者の患者識別情報に対応する生体サンプルに対応付けられた表現型情報を取得し、取得された表現型情報を表現型情報ファイル１０６ａの所定の領域に格納する（ステップＳＡ−１）。
【０１４６】
ついで、匿名化権限分散化装置１００は、表現型情報匿名化部１０２ｂの処理により、ステップＳＡ−１にて取得された表現型情報を匿名化し、匿名化表現型情報ファイル１０６ｃの所定の領域に格納する（ステップＳＡ−２）。
【０１４７】
ついで、匿名化権限分散化装置１００は、遺伝子多型情報取得部１０２ｃの処理により、ステップＳＡ−１にて取得された生体サンプルに基づいてタイピングシステム４００にてタイピングされた遺伝子多型情報を取得し、遺伝子多型情報ファイル１０６ｂの所定の領域に格納する（ステップＳＡ−３）。
【０１４８】
ここで、当該取得は、例えば、タイピングシステム４００より物理的な輸送手段にて輸送された記録媒体（例えば、ＭＯ、フレキシブルディスクなど）を読み取り、遺伝子多型情報取得部１０２ｃの処理により遺伝子多型情報を取得してもよい。また、ネットワーク３００を介してタイピングシステム４００から送信された遺伝子多型情報を遺伝子多型情報取得部１０２ｃの処理により取得してもよい。
【０１４９】
さらに、匿名化権限分散化装置１００は、遺伝子多型情報匿名化部１０２ｄの処理により、ステップＳＡ−３にて取得された遺伝子多型情報を匿名化し、匿名化遺伝子多型情報ファイル１０６ｄの所定の領域に格納する（ステップＳＡ−４）。
【０１５０】
ここで、匿名化権限分散化装置１００において、ステップＳＡ−２およびステップＳＡ−４にて行われる匿名化は、同一の匿名化の手法を用いて表現型情報および遺伝子多型情報を匿名化してもよい。これにより、匿名化された表現型情報と匿名化された遺伝子多型情報との対応付けの処理（対応付け部１０２ｅの処理に対応）を省くことができる。
【０１５１】
また、匿名化権限分散化装置１００は、同一人から取得された、ステップＳＡ−２にて匿名化された表現型情報と、ステップＳＡ−４にて匿名化された遺伝子多型情報とを対応付けてもよい。
【０１５２】
（対応付け処理）
ここで、対応付け部１０２ｅにて行われる対応付け処理について図５を参照して詳細に説明する。図５は、本実施形態における本システムの対応付け処理の一例を示すフローチャートである。
【０１５３】
まず、匿名化権限分散化装置１００は、対応付け部１０２ｅの処理により、同一人から取得された、ステップＳＡ−２にて匿名化された表現型情報と、ステップＳＡ−４にて匿名化された遺伝子多型情報とを対応付ける（ステップＳＢ−１）。
【０１５４】
これにて、対応付け処理が終了する。
【０１５５】
また、匿名化権限分散化装置１００は、匿名化表現型情報対応匿名化遺伝子多型情報送信部１０２ｆの処理により、対応付けられた匿名化された表現型情報および匿名化された遺伝子多型情報を、例えば、研究機関システム５００などにネットワーク３００を介して送信してもよい。
【０１５６】
また、研究機関システム５００は、匿名化権限分散化装置１００にて対応付けられた匿名化された表現型情報および匿名化された遺伝子多型情報を取得してもよい。
【０１５７】
また、研究機関システム５００は、取得された匿名化された表現型情報および匿名化された遺伝子多型情報に基づいて、突き合わせ解析を行ってもよい。
【０１５８】
（突き合わせ解析処理）
ここで、匿名化表現型情報対応匿名化遺伝子多型情報取得部５０２ａおよび突き合わせ解析部５０２ｂにて行われる突き合わせ解析処理について図６を参照して詳細に説明する。図５は、本実施形態における本システムの突き合わせ解析処理の一例を示すフローチャートである。
【０１５９】
まず、研究機関システム５００は、匿名化表現型情報対応匿名化遺伝子多型情報取得部５０２ａの処理により、匿名化権限分散化装置１００にて対応付けられた匿名化された表現型情報および匿名化された遺伝子多型情報を取得し、取得された匿名化された表現型情報および匿名化された遺伝子多型情報を匿名化表現型情報ファイル５０６ａおよび匿名化遺伝子多型情報ファイル５０６ｂの所定の領域にそれぞれ格納する（ステップＳＣ−１）。
【０１６０】
さらに、研究機関システム５００は、突き合わせ解析部５０２ｂの処理により、ステップＳＣ−１にて取得された匿名化された表現型情報および匿名化された遺伝子多型情報に基づいて、突き合わせ解析を行い、解析結果を知識データベース５０６ｃの所定の領域に格納する（ステップＳＣ−２）。
【０１６１】
これにて、突き合わせ解析処理が終了する。
【０１６２】
また、遺伝子多型情報は、ＳＮＰ情報、マイクロサテライト情報、ハプロタイプ情報などのうち少なくとも一つであってもよい。
【０１６３】
また、生体サンプルは、血液サンプルなどであってもよい。
【０１６４】
以上、メイン処理が終了する。
【０１６５】
［他の実施の形態］
さて、これまで本発明の実施の形態について説明したが、本発明は、上述した実施の形態以外にも、上記特許請求の範囲に記載した技術的思想の範囲内において種々の異なる実施の形態にて実施されてよいものである。
【０１６６】
例えば、匿名化権限分散化装置１００および研究機関システム５００がスタンドアローンの形態で処理を行う場合を一例に説明したが、匿名化権限分散化装置１００および研究機関システム５００とは別筐体で構成されるクライアント端末からの要求に応じて処理を行い、その処理結果を当該クライアント端末に返却するように構成してもよい。
【０１６７】
また、実施形態において説明した各処理のうち、自動的に行なわれるものとして説明した処理の全部または一部を手動的に行うこともでき、あるいは、手動的に行なわれるものとして説明した処理の全部または一部を公知の方法で自動的に行うこともできる。
【０１６８】
この他、上記文書中や図面中で示した処理手順、制御手順、具体的名称、各種の登録データや検索条件等のパラメータを含む情報、画面例、データベース構成については、特記する場合を除いて任意に変更することができる。
【０１６９】
また、匿名化権限分散化装置１００および研究機関システム５００に関して、図示の各構成要素は機能概念的なものであり、必ずしも物理的に図示の如く構成されていることを要しない。
【０１７０】
例えば、匿名化権限分散化装置１００および研究機関システム５００の各部または各装置が備える処理機能、特に制御部１０２および制御部５０２にて行なわれる各処理機能については、その全部または任意の一部を、ＣＰＵ（Ｃｅｎｔｒａｌ  Ｐｒｏｃｅｓｓｉｎｇ  Ｕｎｉｔ）および当該ＣＰＵにて解釈実行されるプログラムにて実現することができ、あるいは、ワイヤードロジックによるハードウェアとして実現することも可能である。なお、プログラムは、後述する記録媒体に記録されており、必要に応じて匿名化権限分散化装置１００および研究機関システム５００に機械的に読み取られる。
【０１７１】
すなわち、ＲＯＭまたはＨＤなどの記憶部１０６および記憶部５０６などには、ＯＳ（Ｏｐｅｒａｔｉｎｇ  Ｓｙｓｔｅｍ）と協働してＣＰＵに命令を与え、各種処理を行うためのコンピュータプログラムが記録されている。このコンピュータプログラムは、ＲＡＭ等にロードされることによって実行され、ＣＰＵと協働して制御部１０２および制御部５０２を構成する。また、このコンピュータプログラムは、匿名化権限分散化装置１００および研究機関システム５００に対して任意のネットワーク３００を介して接続されたアプリケーションプログラムサーバに記録されてもよく、必要に応じてその全部または一部をダウンロードすることも可能である。
【０１７２】
また、本発明にかかるプログラムを、コンピュータ読み取り可能な記録媒体に格納することもできる。ここで、この「記録媒体」とは、フレキシブルディスク、光磁気ディスク、ＲＯＭ、ＥＰＲＯＭ、ＥＥＰＲＯＭ、ＣＤ−ＲＯＭ、ＭＯ、ＤＶＤ等の任意の「可搬用の物理媒体」や、各種コンピュータシステムに内蔵されるＲＯＭ、ＲＡＭ、ＨＤ等の任意の「固定用の物理媒体」、あるいは、ＬＡＮ、ＷＡＮ、インターネットに代表されるネットワークを介してプログラムを送信する場合の通信回線や搬送波のように、短期にプログラムを保持する「通信媒体」を含むものとする。
【０１７３】
また、「プログラム」とは、任意の言語や記述方法にて記述されたデータ処理方法であり、ソースコードやバイナリコード等の形式を問わない。なお、「プログラム」は必ずしも単一的に構成されるものに限られず、複数のモジュールやライブラリとして分散構成されるものや、ＯＳ（Ｏｐｅｒａｔｉｎｇ  Ｓｙｓｔｅｍ）に代表される別個のプログラムと協働してその機能を達成するものをも含む。なお、実施の形態に示した各装置において記録媒体を読み取るための具体的な構成、読み取り手順、あるいは、読み取り後のインストール手順等については、周知の構成や手順を用いることができる。
【０１７４】
記憶部１０６および記憶部５０６に格納される各種のファイル等（記憶部１０６：表現型情報ファイル１０６ａ〜匿名化遺伝子多型情報ファイル１０６ｄ、記憶部５０６：匿名化表現型情報ファイル５０６ａ〜知識データベース５０６ｃ）は、ＲＡＭ、ＲＯＭ等のメモリ装置、ハードディスク等の固定ディスク装置、フレキシブルディスク、光ディスク等のストレージ手段であり、各種処理やウェブサイト提供に用いる各種のプログラムやテーブルやファイルやデータベースやウェブページ用ファイル等を格納する。
【０１７５】
また、匿名化権限分散化装置１００および研究機関システム５００は、既知のパーソナルコンピュータ、ワークステーション等の情報処理端末等の情報処理装置にプリンタやモニタやイメージスキャナ等の周辺装置を接続し、該情報処理装置に本発明の方法を実現させるソフトウェア（プログラム、データ等を含む）を実装することにより実現してもよい。
【０１７６】
さらに、匿名化権限分散化装置１００および研究機関システム５００の分散・統合の具体的形態は図示のものに限られず、その全部または一部を、各種の負荷等に応じた任意の単位で、機能的または物理的に分散・統合して構成することができる。例えば、各データベースを独立したデータベース装置として独立に構成してもよく、また、処理の一部をＣＧＩ（Ｃｏｍｍｏｎ  Ｇａｔｅｗａｙ  Ｉｎｔｅｒｆａｃｅ）を用いて実現してもよい。
【０１７７】
また、ネットワーク３００は、匿名化権限分散化装置１００と、病院システム２００と、タイピングシステム４００と、研究機関システム５００とを相互に接続する機能を有し、例えば、インターネットや、イントラネットや、ＬＡＮ（有線／無線の双方を含む）や、ＶＡＮや、パソコン通信網や、公衆電話網（アナログ／デジタルの双方を含む）や、専用回線網（アナログ／デジタルの双方を含む）や、ＣＡＴＶ網や、ＩＭＴ２０００方式、ＧＳＭ方式またはＰＤＣ／ＰＤＣ−Ｐ方式等の携帯回線交換網／携帯パケット交換網や、無線呼出網や、Ｂｌｕｅｔｏｏｔｈ等の局所無線網や、ＰＨＳ網や、ＣＳ、ＢＳまたはＩＳＤＢ等の衛星通信網等のうちいずれかを含んでもよい。すなわち、本システムは、有線・無線を問わず任意のネットワークを介して、各種データを送受信することができる。
【０１７８】
【発明の効果】
以上詳細に説明したように、本発明によれば、匿名化権限分散化装置は、病院システムにて匿名化された患者の患者識別情報に対応する生体サンプルに対応付けられた表現型情報を取得し、取得された表現型情報を匿名化し、取得された生体サンプルに基づいてタイピングシステムにてタイピングされた遺伝子多型情報を取得し、取得された遺伝子多型情報を匿名化するので、病院システムでの匿名化に加えて、研究機関システム以外の中立的な第三者機関で匿名化のみを再度行うことで病院と研究機関システムの情報だけでは個人を特定できないようにすることができる匿名化権限分散化システムおよび匿名化権限分散化方法を提供することができる。
【０１７９】
また、本発明によれば、病院、研究機関システムともに安心して個人情報のやり取りをすることができるので、セキュリティ対策にかけるコストを低減することができる匿名化権限分散化システムおよび匿名化権限分散化方法を提供することができる。
【０１８０】
また、本発明によれば、匿名化権限分散化装置は、表現型情報匿名化手段（表現型情報匿名化ステップ）および遺伝子多型情報匿名化手段（遺伝子多型情報匿名化ステップ）において、同一の匿名化の手法を用いて表現型情報および遺伝子多型情報を匿名化するので、匿名化された表現型情報と匿名化された遺伝子多型情報との対応付けの処理を省くことができる匿名化権限分散化システムおよび匿名化権限分散化方法を提供することができる。
【０１８１】
また、本発明によれば、匿名化権限分散化装置は、同一人から取得された、匿名化された表現型情報と、匿名化された遺伝子多型情報とを対応付けるので、対応付けられた匿名化された表現型情報と匿名化された遺伝子多型情報とを解析等に利用することができる匿名化権限分散化システムおよび匿名化権限分散化方法を提供することができる。
【０１８２】
また、本発明によれば、研究機関システムは、匿名化権限分散化装置にて対応付けられた匿名化された表現型情報および匿名化された遺伝子多型情報を取得し、取得された匿名化された表現型情報および匿名化された遺伝子多型情報に基づいて、突き合わせ解析を行うので、効率よく知識データベースを作成することができる匿名化権限分散化システムおよび匿名化権限分散化方法を提供することができる。
【０１８３】
また、本発明によれば、遺伝子多型情報は、ＳＮＰ情報、マイクロサテライト情報、ハプロタイプ情報のうち少なくとも一つであるので、現在において研究が進んでいる領域であるＳＮＰ情報、マイクロサテライト情報、ハプロタイプ情報を用いることができる匿名化権限分散化システムおよび匿名化権限分散化方法を提供することができる。
【０１８４】
また、本発明によれば、生体サンプルは、血液サンプルであるので、患者から容易に採取および解析することができる匿名化権限分散化システムおよび匿名化権限分散化方法を提供することができる。
【０１８５】
また、本発明によれば、予め匿名化された患者の患者識別情報に対応する生体サンプルに対応付けられた表現型情報を取得し、取得された表現型情報を匿名化し、取得された生体サンプルに基づいてタイピングされた遺伝子多型情報を取得し、取得された遺伝子多型情報を匿名化するので、病院システムでの匿名化に加えて、研究機関システム以外の中立的な第三者機関で匿名化のみを再度行うことで病院と研究機関システムの情報だけでは個人を特定できないようにすることができる匿名化権限分散化装置、匿名化権限分散化方法、および、プログラムを提供することができる。
【０１８６】
また、本発明によれば、病院、研究機関システムともに安心して個人情報のやり取りをすることができるので、セキュリティ対策にかけるコストを低減することができる匿名化権限分散化装置、匿名化権限分散化方法、および、プログラムを提供することができる。
【０１８７】
また、本発明によれば、表現型情報匿名化手段（表現型情報匿名化ステップ）および遺伝子多型情報匿名化手段（遺伝子多型情報匿名化ステップ）において、同一の匿名化の手法を用いて表現型情報および遺伝子多型情報を匿名化するので、匿名化された表現型情報と匿名化された遺伝子多型情報との対応付けの処理を省くことができる匿名化権限分散化装置、匿名化権限分散化方法、および、プログラムを提供することができる。
【０１８８】
また、本発明によれば、同一人から取得された、匿名化された表現型情報と、匿名化された遺伝子多型情報とを対応付けるので、対応付けられた匿名化された表現型情報と匿名化された遺伝子多型情報とを解析等に利用することができる匿名化権限分散化装置、匿名化権限分散化方法、および、プログラムを提供することができる。
【０１８９】
また、本発明によれば、対応付けられた匿名化された表現型情報および匿名化された遺伝子多型情報を送信するので、ネットワーク等を介して匿名化された表現型情報および匿名化された遺伝子多型情報の共有化を容易に図ることができる匿名化権限分散化装置、匿名化権限分散化方法、および、プログラムを提供することができる。
【０１９０】
また、本発明によれば、遺伝子多型情報は、ＳＮＰ情報、マイクロサテライト情報、ハプロタイプ情報のうち少なくとも一つであるので、現在において研究が進んでいる領域であるＳＮＰ情報、マイクロサテライト情報、ハプロタイプ情報を用いることができる匿名化権限分散化装置、匿名化権限分散化方法、および、プログラムを提供することができる。
【０１９１】
さらに、本発明によれば、生体サンプルは、血液サンプルであるので、患者から容易に採取および解析することができる匿名化権限分散化装置、匿名化権限分散化方法、および、プログラムを提供することができる。
【図面の簡単な説明】
【図１】本発明における匿名化権限分散化システムの基本原理を示す図である。
【図２】本発明が適用される匿名化権限分散化装置のシステム構成の一例を示すブロック図である。
【図３】本発明が適用される研究機関システムのシステム構成の一例を示すブロック図である。
【図４】本実施形態における本システムのメイン処理の一例を示すフローチャートである。
【図５】本実施形態における本システムの対応付け処理の一例を示すフローチャートである。
【図６】本実施形態における本システムの突き合わせ解析処理の一例を示すフローチャートである。
【符号の説明】
１００  匿名化権限分散化装置
１０２  制御部
１０２ａ  取得部
１０２ｂ  表現型情報匿名化部
１０２ｃ  遺伝子多型情報取得部
１０２ｄ  遺伝子多型情報匿名化部
１０２ｅ  対応付け部
１０２ｆ  匿名化表現型情報対応匿名化遺伝子多型情報送信部
１０４  通信制御インターフェース部
１０６  記憶部
１０６ａ  表現型情報ファイル
１０６ｂ  遺伝子多型情報ファイル
１０６ｃ  匿名化表現型情報ファイル
１０６ｄ  匿名化遺伝子多型情報ファイル
１０８  入出力制御インターフェース部
１１２  入力装置
１１４  出力装置
２００  病院システム
３００  ネットワーク
４００  タイピングシステム
５００  研究機関システム
５０２  制御部
５０２ａ  匿名化表現型情報対応匿名化遺伝子多型情報取得部
５０２ｂ  突き合わせ解析部
５０４  通信制御インターフェース部
５０６  記憶部
５０６ａ  匿名化表現型情報ファイル
５０６ｂ  匿名化遺伝子多型情報ファイル
５０６ｃ  知識データベース
５０８  入出力制御インターフェース部
５１２  入力装置
５１４  出力装置
【図１】
2004287847.tif 000003
【図２】
2004287847.tif 000004
【図３】
2004287847.tif 000005
【図４】
2004287847.tif 000006
【図５】
2004287847.tif 000007
【図６】
2004287847.tif 000008